(57)【要約】【課題】車両用空調装置において、大型化することなく、温風主流通路２３からの温風が主にフット吹出開口部２７に導かれるようにする。【解決手段】ユニットケース１２のうち車両幅方向一端側の側壁１２０ａ、１２０ｂにフット吹出開口部２７が設けられている。車両幅方向一端側の側壁１２０ａには、温風主流通路２３が隣接し、かつ、車両幅方向他端側の側壁１２０ｂには、温風主流通路２３が隣接している。したがって、ユニットケース１２を大型化することなく、温風主流通路２３からの温風が主にフット吹出開口部２７に導かれるようにすることができる。【選択図】図３
2008094251.tif 000002
【特許請求の範囲】
【請求項１】
空気通路を形成するユニットケース（１２）と、
前記ユニットケース内に配置され、空気を加熱する加熱用熱交換器（１５）と、
前記ユニットケース内に配置され、前記加熱用熱交換器をバイパスして冷風が流れる冷風バイパス通路（１６）と、
前記冷風バイパス通路を通過する冷風と前記加熱用熱交換器を通過する温風との風量割合を調整して、室内に吹き出す空気温度を調整するするエアミックスドア（１７）と、
前記冷風バイパス通路を通過した冷風が主に流れる冷風主流通路と、前記加熱用熱交換器から吹き出される温風が主に流れる温風主流通路とを有するバッフル部材（２０）と、
前記ユニットケースの側壁に設けられ、かつ前記バッフル部材を通過した空気流を車室内の乗員下半身に向けて吹き出すフット吹出開口部（２７）と、を備え、
前記フット吹出開口部が車両搭載時に車両幅方向に配置される車両用空調装置であって、
前記バッフル部材は、前記ユニットケースのうち前記フット吹出開口部側の側壁に隣接して前記温風主流通路が配置されるように構成されていることを特徴とする車両用空調装置。
【請求項２】
前記バッフル部材は、複数の前記冷風主流通路と、複数の前記温風主流通路とを備えており、
前記冷風主流通路と前記温風主流通路とが交互に並べられていることを特徴とする請求項１に記載の車両用空調装置。
【請求項３】
前記バッフル部材は、前記フット吹出開口部側の側壁に隣接する前記温風主流通路が、前記車両幅方向において前記フット吹出開口部に対してオフセットするように配置されていることを特徴とする請求項１または２に記載の車両用空調装置。
【請求項４】
前記バッフル部材には、前記加熱用熱交換器からの温風が前記冷風主流通路に流入することを遮蔽する温風遮蔽板が設けられていることを特徴とする請求項１または３のうちいずれか１つに記載の車両用空調装置。
【請求項５】
前記バッフル部材には、前記加熱用熱交換器からの温風が前記冷風主流通路に流入する温風入口（２４ｂ）が設けられていることを特徴とする請求項１または４のうちいずれか１つに記載の車両用空調装置。
【請求項６】
前記バッフル部材には、前記冷風バイパス通路からの冷風が前記温風主流通路に流入することを遮蔽する冷風遮蔽板（２２）が設けられていることを特徴とする請求項１または４のうちいずれか１つに記載の車両用空調装置。
【請求項７】
前記冷風主流通路および前記温風主流通路は、前記ユニットケース内で前記車両幅方向に交差するように配置される分割板（２１）によって分離されており、
前記フット吹出開口部側の側壁に隣接する前記温風主流通路は、前記フット吹出開口部側の側壁、前記分割板、および前記冷風遮蔽板によって形成されていることを特徴とする請求項６に記載の車両用空調装置。
【請求項８】
前記冷風遮蔽板は、前記冷風バイパス通路側に向けて突出するように形成されていることを特徴とする請求項６に記載の車両用空調装置。
【請求項９】
前記冷風遮蔽板には、前記温風を流入させる温風流入口（２４０）が設けられていることを特徴とする請求項６に記載の車両用空調装置。
【請求項１０】
前記バッフル部材には、前記冷風バイパス通路からの冷風が前記温風主流通路に流入させる冷風入口（２３ｂ）が設けられていることを特徴とする請求項１ないし６のいずれか１つに記載の車両用空調装置。
【請求項１１】
前記ユニットケースには、前記バッフル部材を通過した空気流を前記車室内の乗員上半身に向けて吹き出すフェイス吹出開口部（２８）が設けられていることを特徴とする請求項１または１０のうちいずれか１つに記載の車両用空調装置。
【請求項１２】
前記ユニットケースのうち前記加熱用熱交換器の上流側に配置され、空気を冷却する冷却用熱交換器（１３）が設けられており、
前記加熱用熱交換器は、前記冷却用熱交換器から吹き出される冷風を加熱するものであり、
前記冷風バイパス通路は、前記冷却用熱交換器からの冷風が前記加熱用熱交換器をバイパスして冷風が流れるようになっていることを特徴とする請求項１ないし１１のいずれか１つに記載の車両用空調装置。
【発明の詳細な説明】
【技術分野】
【０００１】
本発明は、温風と冷風との風量割合を調整して室内吹出空気温度を調整するエアミックス方式の車両用空調装置に関する。
【背景技術】
【０００２】
従来、車両用空調装置のユニットケース内において、送風機から送風を冷却する蒸発器と、蒸発器から吹き出される冷風を加熱するヒータコアユニットと、ヒータコアユニットからの温風が流れる温風通路と、ヒータコアユニットをバイパスして蒸発器からの冷風が流れる冷風バイパス通路と、冷風バイパス通路に流入する空気量とヒータコアユニットに流入する空気量との風量割合を調整して車室内に吹き出す吹出空気温度を調整するエアミックスドアと、を備えるものがある（例えば、特許文献１参照）。
【０００３】
このものにおいて、フェイス吹出開口部に対してデフロスタ開口部およびフット吹出開口部を左右両側にオフセットして配置し、冷風バイパス通路の出口部に対して温風通路の出口部を車両幅方向両側に拡大して温風通路の出口部に拡大部を設け、バイレベルモードでは冷風バイパス通路からの冷風が主にフェイス吹出開口部側へ導き、温風通路からの温風が主にフット吹出開口部側へ導いて、バイレベルモード時の頭寒足熱形の吹出温度分布と形成している。
【特許文献１】特開２００１−１３８７２４号公報
【発明の開示】
【発明が解決しようとする課題】
【０００４】
上述の車両用空調装置では、冷風バイパス通路の出口部に対して温風通路の出口部を車両幅方向両側に拡大して温風通路の出口部に拡大部を設けることにより、温風通路からの温風が主にフット吹出開口部側へ導くことができるものの、温風通路の出口部に拡大部を設けた分だけユニットケースを車両幅方向に体格を広げることが必要となり、装置の大型化を招くことになる。
【０００５】
本発明は、上記点に鑑みて、装置を大型化することなく、温風が主にフット吹出開口部側へ導くことができるようにした車両用空調装置を提供することを目的とする。
【課題を解決するための手段】
【０００６】
上記目的を達成するため、本発明では、冷風バイパス通路を通過した冷風が主に流れる冷風主流通路と、加熱用熱交換器から吹き出される温風が主に流れる温風主流通路とを有するバッフル部材（２０）と、ユニットケースの側壁に設けられ、かつバッフル部材を通過した空気流を車室内の乗員下半身に向けて吹き出すフット吹出開口部（２７）と、を備え、フット吹出開口部が車両搭載時に車両幅方向に配置される車両用空調装置であって、バッフル部材は、ユニットケースのうちフット吹出開口部側の側壁に隣接して温風主流通路が配置されるように構成されていることを特徴とする。
【０００７】
したがって、装置を大型化することなく、温風を主にフット吹出開口部側へ導くことができる。
【０００８】
なお、特許請求の範囲およびこの欄で記載した各手段の括弧内の符号は、後述する実施形態に記載の具体的手段との対応関係を示すものである。
【発明を実施するための最良の形態】
【０００９】
（第１実施形態）
図１は本実施形態の車両用空調装置における室内空調ユニット１０の縦断面図であり、図１の前後上下の各矢印は車両搭載状態での方向を示す。車両幅（車両左右）方向は図１の紙面垂直方向である。
【００１０】
この室内空調ユニット１０は、車室内前部に位置する計器盤（インパネ）の内側において車両左右方向の略中央部に搭載される。室内空調ユニット１０のうち、車両前方側の上方部に送風機１１が配置されている。この送風機１１は遠心式多翼ファン（シロッコファン）により構成される送風ファン１１ａを有し、この送風ファン１１ａを図示しない電動モータによって回転駆動する構成になっている。
【００１１】
送風機１１のスクロールケーシング１１ｂの巻始め部であるノーズ部１１ｃは、送風ファン１１ａの下側に位置しており、そして、スクロールケーシング１１ｂの巻終わり部１１ｄはノーズ部１１ｃの車両前方側に所定間隔を隔てて対向配置されている。
【００１２】
送風ファン１１ａの吸入側には図示しない内外気切替箱が接続され、この内外気切替箱を通して導入される外気または内気を送風ファン１１ａにより吸入して図１の矢印ａのようにユニットケース１２内の最前部の空間１２ａへ向かって上方から下方へと送風する。ユニットケース１２は送風ファン１１ａの送風空気が流れる空気通路を構成する。
【００１３】
ユニットケース１２は周知のごとく複数の分割ケースに分割して樹脂により成形され、この複数の分割ケースをネジ、金属バネクリップ等の締結手段により一体に締結することによりユニットケース１２が構成される。
【００１４】
ユニットケース１２の内部において送風ファン１１ａの下方部に冷却用熱交換器をなす蒸発器１３が配置されている。より具体的には、蒸発器１３はその熱交換コア面が上下方向に延びるように縦配置されている。
【００１５】
このように配置された蒸発器１３を送風ファン１１ａの送風空気の全量が車両前方側から後方側へと通過する。蒸発器１３は、冷媒通路をなす偏平状のチューブ（図示せず）と空気側伝熱面積を増大するコルゲート状の伝熱フィンとを交互に多数積層して接合した周知の熱交換コア構成を有している。
【００１６】
冷凍サイクルの減圧手段（図示せず）にて減圧された低圧冷媒が蒸発器１３の熱交換コア部のチューブにて蒸発器１３の通過空気から吸熱して蒸発することにより通過空気が冷却される。
【００１７】
ユニットケース１２のうち、蒸発器１３の下方に位置する最底部位に排水口１４を開口して蒸発器１３の凝縮水を排出するようになっている。
【００１８】
そして、ユニットケース１２内において、蒸発器１３の風下側（車両後方側）に加熱用熱交換器をなす温水式ヒータコア１５が配置されている。より具体的には、ヒータコア１５の下端部が蒸発器１３の下端部に近接し、かつ、ヒータコア１５の上端部が蒸発器１３の熱交換コア面から車両後方側へ離れるようにヒータコア１５は傾斜配置されている。したがって、蒸発器１３とヒータコア１５は山形状（Ｖ状）の配置形態をなしている。
【００１９】
但し、ヒータコア１５は蒸発器１３よりも高さ寸法が大幅に小さくしてあるので、ヒータコア１５の上端部と蒸発器１３の上端部との間には、ヒータコア１５をバイパスして冷風が流れる冷風バイパス通路１６が形成される。
【００２０】
つまり、蒸発器１３とヒータコア１５は、互いの下端部が山形状（Ｖ状）の形態にて近接するように配置され、この互いの上端部の間隔が開けられて、冷風バイパス通路１６が形成される構成となっている。
【００２１】
ヒータコア１５は、車両エンジン（図示せず）からの温水を熱源として空気を加熱するもので、温水通路をなす偏平状のチューブと空気側伝熱面積を増大するコルゲート状の伝熱フィンとを車両左右方向に交互に多数積層して接合した周知の熱交換コア部１５ｃを有している。
【００２２】
多数本のチューブの上下両端部には、チューブに対する温水流れの分配、集合を行うタンク部１５ｄ、１５ｅが接合されている。本実施形態では、下側タンク部１５ｅが温水入口タンク部で、上側タンク部１５ｄが温水出口タンク部になっている。
【００２３】
温水は入口配管（図示せず）から下側タンク部１５ｅ内に流入して多数本のチューブに分配され、この多数本のチューブを下方から上方へと一方向に流れて上側タンク部１５ｄ内に流入して集合され、その後、ヒータコア１５外部へ流出して車両エンジンに戻るようになっている。
【００２４】
ここで、ヒータコア１５は、上側ケース支持部２０とユニットケース１２の下部との間に狭持されている。
【００２５】
蒸発器１３とヒータコア１５との間にエアミックスドア１７を回転軸１７ａを中心として回転可能に配置している。ここで、エアミックスドア１７は平板状のドア本体部の端部に回転軸１７ａを一体に設けた片持ちドアにより構成されている。
【００２６】
回転軸１７ａはヒータコア１５の下端部の車両前方側部位に配置され、回転軸１７ａの軸方向は車両左右方向（図１の紙面垂直方向）に延びるように配置され、回転軸１７ａの両端部はユニットケース１２の左右の側壁部の軸受孔（図示せず）に回転可能に支持される。
【００２７】
回転軸１７ａの一端部はユニットケース１２の外部へ突出して温度調整操作機構（図示せず）に連結される。これにより、温度調整操作機構の操作力にてエアミックスドア１７を回転軸１７ａを中心として回転操作できる。なお、温度調整操作機構は本例ではサーボモータを用いたアクチュエータ機構によって構成される。
【００２８】
エアミックスドア１７は回転軸１７ａを中心として図１の１点鎖線位置１７ｂと破線位置１７ｃとの間で回転可能になっている。エアミックスドア１７の１点鎖線位置１７ｂはヒータコア１５の熱交換コア部１５ｃを通過する温風通路１８を全閉して冷風バイパス通路１６を全開する最大冷房位置である。
【００２９】
これに対し、エアミックスドア１７の破線位置１７ｃは冷風バイパス通路１６を全閉して、温風通路１８を全開する最大暖房位置である。
【００３０】
エアミックスドア１７は周知のごとくヒータコア１５の熱交換コア部１５ｃを通過する温風通路１８の温風（矢印ｃ参照）とヒータコア１５をバイパスして冷風バイパス通路１６を通過する冷風（矢印ｂ参照）との風量割合を調整して車室内への吹出空気温度を調整する温度調整手段である。
【００３１】
ユニットケース１２の内部において、ヒータコア１５の風下側（車両後方側）には温風通路１８の温風ｃと冷風バイパス通路１６を通過する冷風ｂとを混合する空気混合部をなすエアミックス空間１９が形成される。エアミックス空間１９内には、冷温風の混合促進用バッフル部材２０が配置されている。なお、混合促進用のバッフル部材２０の構成について後述する。
【００３２】
ユニットケース１２のうちエアミックス空間１９の風下側部位には、車室内の異なる複数部位に空調風を吹き出すための複数の吹出開口部２７〜２９が配置されている。本実施形態では、エアミックス空間１９の風下側部位とはエアミックス空間１９の上方側部位のことである。
【００３３】
複数の吹出開口部２７〜２９のうちフット吹出開口部２７は、エアミックス空間１９のすぐ上方の部位に配置され、フットドア３０により開閉される。フットドア３０は回転軸３０ａを中心として回転可能な板ドアからなる。
【００３４】
フット吹出開口部２７は、より具体的にはユニットケース１２の左右の側壁部（すなわち、車載搭載時には車両幅方向の側壁）に分岐して開口し、このユニットケース１２の左右の側壁部の開口にはそれぞれ左右のフット吹出ダクト（図示せず）が接続され、この左右のフット吹出ダクトの下流側端部に位置するフット吹出口から空調風（主に温風）を乗員足元部へ吹き出すようになっている。
【００３５】
ユニットケース１２の上面部のうち車両後方側部位にフェイス吹出開口部２８が開口しており、より具体的には、フェイス吹出開口部２８は、３つのフェイス吹出口２８ａ、２８ｂ、２８ｃ（図２参照）から構成されている。
【００３６】
フェイス吹出開口部２８ａ、２８ｂ、２８ｃは、車両幅方向に並べられている。フェイス吹出開口部２８ａ、２８ｂ、２８ｃは、回転軸３２ａ、３２ｂ、３３ｃを中心として回転可能な板ドアからなるフェイスドア３３ａ、３３ｂ、３３ｃによりそれぞれ独立して開閉される。図１では、１つのフェイスドア３３ａ（回転軸３２ａ）だけを示している。
【００３７】
フェイス吹出開口部２８ａ、２８ｂ、２８ｃにはそれぞれフェイス吹出ダクト（図示せず）が接続され、これらフェイス吹出ダクトの先端部に設けられたフェイス吹出口から空調風を乗員上半身へ向かって吹き出すようになっている。
【００３８】
また、フェイス吹出開口部２８よりも車両前方側部位には、デフロスタ開口部２９が開口している。デフロスタ開口部２９は、回転軸３４ａを中心として回転可能な板ドアからなるデフロスタ３４により開閉される。
【００３９】
デフロスタ開口部２９にはデフロスタ吹出ダクトが接続され、このデフロスタ吹出ダクトの先端部に設けられたデフロスタ吹出口から空調風を車両窓ガラスの内面に向かって吹き出すようになっている。
【００４０】
ここで、フットドア３０とフェイスドア３２とデフロスタ３４は吹出モードドアであり、ドア３０、３２、３４の回転軸３０ａ、３２ａ、３４ａは、ユニットケース１２の外部に突出してリンク機構を介して共通の吹出モード操作機構に連結される。
【００４１】
このことにより、吹出モード操作機構の操作力によりリンク機構を介してフットドア３０とフェイスドア３２を連動して回転操作し、吹出モードを切り替えることができる。
【００４２】
なお、吹出モード操作機構は本例ではサーボモータを用いたアクチュエータ機構により構成される。
【００４３】
次に、バッフル部材２０の具体的構成を図２、図３により詳述する。図２は図１のＡ−Ａ断面図、図３は図１中のバッフル部材２０を示す透視図である。図２中の左右方向は車両幅方向を示す。
【００４４】
図２、図３に示すように、バッフル部材２０は、車両幅方向においてフット吹出開口部２７と一部重複して配置されている。
【００４５】
まず、バッフル部材２０とは、温度の異なる２種類の空気流を通風することができる装置である。具体的には、バッフル部材２０は、図２に示すように、車両幅方向に並列に等間隔に並べられる１４枚の分割板２１（図３では、８枚の分割板２１を示す）を備えており、各分割板２１は、冷風流方向（図２中上下方向）に延出するように形成されている。
【００４６】
各分割板２１は、７つの温風主流通路２３と６つの冷風主流通路２４を車両幅方向に分離するものであり、温風主流通路２３と冷風主流通路２４は、車両幅方向に交互に配置されている。
【００４７】
すなわち、ユニットケース１２のうち車両幅方向の一端側の側壁１２０ａから他端側の側壁１２０ｂ（図２参照）、各温風主流通路２３と各冷風主流通路２４が、温風主流通路２３、冷風主流通路２４、温風主流通路２３、冷風主流通路２４…の順に交互に配置されている。一端側の側壁１２０ａには、温風主流通路２３が隣接し、さらに他端側の側壁１２０ｂには温風主流通路２３が隣接することになる。
【００４８】
なお、側壁１２０ａに隣接する分割板２１には、フットドア３０との干渉を避けるため切り込み等が設けられている。
【００４９】
ここで、図３に示すように、各温風主流通路２３には、それぞれ、温風流入口２３ｂおよび冷風遮蔽板２２が設けられている。温風流入口２３ｂは、温風通路１８に向けて開口しており、冷風遮蔽板２２は、温風主流通路２３を構成する二枚の分割板２１の間に配置されて、冷風バイパス通路１６を通過する冷風が流入することを遮蔽する。これにより、７つの温風主流通路２３において温風だけが流入して出口２３ａから吹き出される。
【００５０】
６つの冷風主流通路２４には、それぞれ、温風流入口２４ｂおよび冷風流入口２４ｃが設けられている。冷風流入口２４ｃは、冷風バイパス通路１６に向けて開口し、温風流入口２４ｂは、温風通路１８に向けて開口している。これにより、６つの冷風主流通路２４には、冷風バイパス通路１６から流入する冷風（図３中矢印ｒ）と温風通路１８からの温風（図３中矢印ｄ）とが流入して混合して混合風が出口２４ａから吹き出される。
【００５１】
ここで、ユニットケース１２の形状、或いはヒータコア１５による圧力損失が原因で、冷風主流通路２４に流入する温風量は、冷風主流通路２４に流入する冷風量に比べて少ない。このため、冷風主流通路２４には、主に冷風が流入して吹き出されることになる。
【００５２】
このように構成されるバッフル部材２０は、具体的には、樹脂等によりユニットケース１２と別体で成形した後に、例えば、圧入嵌合構造、接着固定等の適宜の固定構造にてユニットケース１２の車両後方側内壁面にバッフル部材２０を固定すればよい。また、バッフル部材２０をユニットケース１２の車両後方側内壁面２３に樹脂により一体成形するようにしてもよい。
【００５３】
次に、上記構成に基づいて本実施形態の作動を説明する。
【００５４】
空調装置の風量切替スイッチ（図示せず）が投入されて、送風機１１のファン駆動用モータ（図示せず）に通電されると、送風ファン１１ａが回転駆動される。すると、図示しない内外気切替箱を通して導入される外気または内気が送風ファン１１ａにより吸入され図１の矢印ａのようにユニットケース１２内の最前部の空間１２ａへ向かって上方から下方へと送風される。
【００５５】
この送風空気の全量が最初に蒸発器１３を車両前方側から車両後方側へと通過して冷却され、冷風となる。この冷風は、次にエアミックスドア１７の開度により冷風バイパス通路１６を通過する冷風ｂと温風通路１８を通過してヒータコア１５で加熱される温風ｃとに振り分けられる。この冷風ｂと温風ｃはヒータコア１５の風下側に形成されるエアミックス空間１９で混合して所定温度の空調風となる。
【００５６】
従って、エアミックスドア１７の開度調整により冷風ｂと温風ｃの風量割合を調整することにより、所望温度の空調風を得ることができる。冷風ｂと温風ｃの混合作用の詳細は後述する。
【００５７】
そして、エアミックス空間１９で混合した所望温度の空調風は、吹出モードドア３０、３２により切替開閉されるフット吹出開口部２７、フェイス吹出開口部２８（２８ａ、２８ｂ、２８ｃ）およびデフロスタ開口部２９のいずれか１つあるいは複数の開口部から車室内へ吹き出して、車室内の空調作用あるいは車両窓ガラスの防曇作用を発揮する。
【００５８】
次に、本実施形態による冷風ｂと温風ｃの混合作用を詳述する。バッフル部材２０の７つの温風主流通路２３には、温風通路１８からの温風がそれぞれ流入し、７つの温風主流通路２３から温風が通過する。６つの冷風主流通路２４において、温風通路１８からの温風と冷風バイパス通路１６からの冷風とがそれぞれ流入して混合する。そして、６つの冷風主流通路２４のそれぞれから混合空気流が通過する
その後、６つの冷風主流通路２４を通過する冷風と温風通路１８を通過する混合空気流は混合され、複数の吹出開口部２７〜２９のいずれかから車室内に吹き出される。
【００５９】
ここで、一端側の側壁１２０ａには、温風主流通路２３が隣接し、他端側の側壁１２０ｂには、温風主流通路２３が隣接している。このため、側壁１２０ａに隣接する温風主流通路２３からの温風は、側壁１２０ａ側のフット吹出開口部２７に導かれ、また側壁１２０ｂに隣接する温風主流通路２３からの温風は、側壁１２０ｂ側のフット吹出開口部２７に導かれる。
【００６０】
以上説明した実施形態によれば、ユニットケース１２のうち車両幅方向一端側の側壁１２０ａ、１２０ｂにフット吹出開口部２７が設けられている。車両幅方向一端側の側壁１２０ａには、一端側の温風主流通路２３が隣接し、かつ車両幅方向の他端側の側壁１２０ｂには、他端側の温風主流通路２３が隣接している。したがって、ユニットケース１２を大型化することなく、温風主流通路２３からの温風が主にフット吹出開口部２７に導かれるようにすることができる。
【００６１】
また、本実施形態のバッフル部材２０は、車両幅方向に温風主流通路２３および冷風主流通路２４に交互に配置しているので、温風と冷風とを良好に混合させることができるので、車両幅方向の温度ムラを小さくすることができる。したがって、車両幅方向に並べられるフェイス吹出口２８ａ、２８ｂ、２８ｃにおいて吹出空気の温度ムラを小さくすることができる。
【００６２】
（第２実施形態）
上述の第２実施形態では、バッフル部材２０を車両幅方向においてフット吹出開口部２７と一部重複して配置する例について説明したが、これに代えて、本第２実施形態では、図４に示すように、バッフル部材２０を車両幅方向においてフット吹出開口部２７とオフセットして配置する。これにより、バッフル部材２０とフット吹出開口部２７との間のエアミックス空間１９を広くすることができるので、バッフル部材２０から吹き出される冷風と温風との混合性を向上させることができる。これに伴い、フェイス吹出開口部２８ａ等から吹き出される混合性（冷風および温風）を向上させることができる。
【００６３】
（第３実施形態）
上述の第１実施形態では、バッフル部材２０の冷風主流通路２４には、温風流入口２４ｂが設けられる例について説明したが、これに代えて、本第３実施形態では、図５に示すように、冷風主流通路２４には、冷風遮断板２４ｄが設けられる。このため、冷風主流通路２４には冷風だけが流入されその冷風が吹き出される。これにより、温風主流通路２３には温風だけ流れ、かつ冷風主流通路２４には冷風だけ流れることになる
（第４実施形態）
上述の第１実施形態では、バッフル部材２０の各温風主流通路２３には、それぞれ、冷風遮蔽板２２を設けて冷風が流入することを遮断するようにした例について説明したが、これに代えて、本第４実施形態では、図６に示すように、各冷風遮蔽板２２に３つの冷風流入口２４０をそれぞれ設けて、若干の冷風を流入させて、温風流入口２３ｂから流入する温風に若干の冷風を混合させるようにしてもよい。本実施形態では、冷風流入口２４０の開口面積を調整することにより、温風主流通路２３に流入する温風量と冷風量との比率を容易に調整することができる。
【００６４】
また、冷風主流通路２４に温風遮蔽板を設ける場合には、この温風遮蔽板において、冷風を若干流入させる冷風流入口を設けるようにしてもよい。
【００６５】
（第５実施形態）
上述の第１実施形態では、バッフル部材２０の各温風主流通路２３に平板状の冷風遮蔽板２２を設けた例について説明したが、これに代えて、本第５実施形態では、冷風遮蔽板２２は、冷風バイパス通路１６側に向けて突出するように形成されている。具体的には、冷風遮蔽板２２は、断面Ｕ字状、或いは断面Ｖ字状に形成されている。これにより、冷風バイパス通路１６から吹き出される冷風の圧力損失を低減することができる。
【００６６】
（第６実施形態）
上述の第１実施形態では、車両幅方向一端側の側壁１２０ａ（１２０ｂ）に隣接する温風主流通路２３を二枚の分割板２１と冷風遮蔽板２２とにより形成した例について説明したが、これに代えて、本第６実施形態では、側壁１２０ａ（１２０ｂ）に隣接する分割板２１を削除し、当該温風主流通路２３を側壁１２０ａ（１２０ｂ）、１枚の分割板２１および冷風遮蔽板２２により形成するようにしてもよい。
【００６７】
これにより、側壁１２０ａ（１２０ｂ）に隣接する分割板２１が必要なくなるので、部品点数、ひいては材料費を低減することができる。また、分割板２１を減らすことにより、圧力損失の低減、ひいては騒音の低減を図ることができる。
【００６８】
（他の実施形態）
なお、上述の実施形態では、吹出開口部としてフット開口部２７、フェイス開口部２８およびデフロスタ開口部２９を有する前席側の室内空調ユニット１０について説明したが、吹出開口部としてフット開口部とフェイス開口部のみを有し、デフロスタ開口部を持たない後席側の室内空調ユニットに対して本発明を適用してもよい。
【００６９】
また、上述の実施形態では、エアミックスドア１７および吹出モードドア３０、３４をいずれも回転可能な板ドアにより構成しているが、エアミックスドア１７および吹出モードドア３４、３２を空気流れと概略直交する方向に移動するスライドドアにより構成してもよい。このスライドドアとしては剛体で形成されたドア、あるいは可撓性を有するフィルム材で形成されたフィルムドア等が包含される。
【００７０】
また、エアミックスドア１７を冷風通路１６側の冷風用エアミックスドアと温風通路２８側の温風用エアミックスドアとの組み合わせで構成してもよい。
【００７１】
また、上述の実施形態では、空調用熱交換器として、蒸発器１３とヒータコア１５の両方を有する室内空調ユニット１０について説明したが、蒸発器１３を廃止し、ヒータコア１５のみを有する室内空調ユニット１０に対して本発明を適用してもよい。
【００７２】
また、本発明を実施するにあたり、バッフル部材２０の組み付け、或いは型抜きなど、製造上の理由によって、生じる車両幅方向の側壁１２０ａ（１２０ｂ）と、バッフル部材２０との間に微少の隙間が生じてもよい。
【図面の簡単な説明】
【００７３】
【図１】本発明の第１実施形態による室内空調ユニットの縦断面図である。
【図２】図１の室内空調ユニットの断面図である。
【図３】上述の第１実施形態の室内空調ユニットの内部構造を示す透視図である。
【図４】本発明の第２実施形態による室内空調ユニットの断面図である。
【図５】本発明の第３実施形態によるバッフル部材を示す斜視図である。
【図６】本発明の第４実施形態によるバッフル部材を示す斜視図である。
【図７】本発明の第５実施形態によるバッフル部材を示す斜視図である。
【図８】本発明の第６実施形態において室内空調ユニットの内部構造を示す透視図である。
【符号の説明】
【００７４】
１２…ユニットケース、１５…ヒータコア（暖房用熱交換器）、
１６…冷風バイパス通路、１７…エアミックスドア、１８…温風通路、
１９…エアミックス空間、２０…バッフル部材、
２３…温風主流通路、２４…冷風主流通路、２７〜２９…吹出開口部。
【図１】
2008094251.tif 000003
【図２】
2008094251.tif 000004
【図３】
2008094251.tif 000005
【図４】
2008094251.tif 000006
【図５】
2008094251.tif 000007
【図６】
2008094251.tif 000008
【図７】
2008094251.tif 000009
【図８】
2008094251.tif 000010